(57)【要約】自動停止装置及び開離嵌挿具の双方を兼ね備えた開離嵌挿具付スライドファスナーの構成部品を、左差し用及び右差し用の双方に兼用可能とする。  自動停止装置付スライダー及び開離嵌挿具の双方を備えた開離嵌挿具付スライドファスナーにおいて、務歯案内通路内へ爪孔（５４）を介して突出する自動停止装置用の停止爪を有する爪部材（５５）を、蝶棒側及び箱棒側の左右方向（ＬＲ方向）に向けて移動自在に構成した。これにより、開離させたファスナーストリンガー同士を再び結合させるために蝶棒を上スライダー（５０）の肩口から務歯案内通路内に差し込んでゆく際に、蝶棒が停止爪を押しながら退避させることができる。これにより、少ない抵抗力で蝶棒を上スライダー（５０）の奥までスムーズに嵌挿することができる。また、開離嵌挿具付スライドファスナーの構成部品を、左差し用及び右差し用の双方に兼用することができる。
2010073362.tif 000002
【特許請求の範囲】
【請求項１】
第１ファスナーストリンガー(17)の一側縁に配された第１務歯列(13)の下端に連設した箱棒(40)と、
第２ファスナーストリンガー(16)の一側縁に配された第２務歯列(12)の下端に連設し、前記第１ファスナーストリンガー(17)に対して開離可能に構成された蝶棒(30)と、
前記第１務歯列(13)及び第２務歯列(12)の表側を覆う表翼板(52)及び裏側を覆う裏翼片(53)との間に形成された務歯案内通路(51)に対して前記表翼板(52)に開設された爪孔(54)から出没可能な停止爪(55A)が形成された爪部材(55)と、前記停止爪(55A)を前記務歯案内通路(51)内へ突出する方向へ弾性的に付勢する付勢部材(57)と、前記表翼板(52)と前記爪部材(55)との間に引手軸部(59A)を配して当該引手軸部(59A)を上動させることで前記停止爪(55A)を前記務歯案内通路(51)から抜脱させる方向に持ち上げることが可能な引手(59)とから構成された自動停止装置を備える上開き用の上スライダー(50)と、
を有する開離嵌挿具付スライドファスナーであって、
前記務歯案内通路(51)内へ突出した停止爪(55A)は、前記蝶棒(30)側及び箱棒(40)側に向けて左右方向に移動自在に構成され、
前記爪孔(54)は、前記停止爪(55A)の移動を可能にする幅広の開口を有することを特徴とする開離嵌挿具付スライドファスナー。
【請求項２】
請求の範囲１に記載の開離嵌挿具付スライドファスナーにおいて、
前記蝶棒(30)の差込端かつ前記箱棒(40)側の隅角部には、開離状態から前記蝶棒(30)を前記上スライダー(50)へ差し込む際に前記務歯案内通路(51)内に突出している前記停止爪(55A)と当接して前記停止爪(55A)を前記箱棒(40)側に徐々に退避させる退避用当接部(70)を備えてなることを特徴とする開離嵌挿具付スライドファスナー。
【請求項３】
請求の範囲１又は２に記載の開離嵌挿具付スライドファスナーにおいて、
前記箱棒(40)における前記表翼板(52)側には、前記退避してきた爪部材(55)を格納する爪退避部を形成してなることを特徴とする開離嵌挿具付スライドファスナー。
【請求項４】
請求の範囲１又は２に記載の開離嵌挿具付スライドファスナーにおいて、
前記上開き用の上スライダー(50)と前記自動停止装置を備える逆開き用の下スライダー(60)との後ろ口同士を対向して配置し、
前記箱棒(40)には、前記下スライダー(60)からの脱落を防止する脱落防止片を形成してなることを特徴とする開離嵌挿具付スライドファスナー。
【発明の詳細な説明】
【技術分野】
【０００１】
本発明は、左右のファスナーストリンガーの一側縁に配した箱棒及び蝶棒、並びに自動停止装置付のスライダーを有する開離嵌挿具付スライドファスナーに関するものである。
【背景技術】
【０００２】
従来、スライダーが自然に下がってしまうことにより、スライドファスナーが勝手に開く不具合を防止するため、スライダーに自動停止装置又は半自動停止装置を備えさせたスライドファスナーが知られている。【０００３】
また、従来、スライドファスナーのスライダーを最下部まで摺動させて左右のファスナーストリンガーを開いた後に、更に左右のファスナーストリンガー同士を開離可能に構成した開離嵌挿具付のスライドファスナーが知られている。【０００４】
特許第３６２１０４０号公報（特許文献１）には、上記の自動停止装置付スライダー及び開離嵌挿具の双方を兼ね備えた開離嵌挿具付スライドファスナーの発明が開示されている。特許文献１に記載されているスライドファスナーでは、スライダーの表翼板及び裏翼片との間に形成された務歯案内通路に対し、表翼板に開設された爪孔から爪部材の停止爪が出没するように構成されている。【０００５】
この停止爪は、付勢部材により務歯案内通路内へ突出する方向へ弾性的に付勢されている。したがって、左右のファスナーストリンガーが開離した状態から蝶棒をスライダーに挿入してゆくと、蝶棒に務歯案内通路に突出している爪部材の停止爪が当接するが、特許文献１の発明に係る蝶棒には、当該停止爪を徐々に押し上げる押上用の斜面を形成してあるので、特許文献１に記載されている開離嵌挿具を用いることによって、蝶棒をスライダーに対してスムーズに嵌挿することができるとしている。【０００６】
また、特開２００６−３４６３６４号公報（特許文献２）には、蝶棒の噛合端縁側及びスライダー表翼板側の隅角部に、スライダーの表翼板に開口している爪孔から務歯案内通路内に突出する自動停止装置用の停止爪との干渉を避けるための面取部を形成した開離嵌挿具付のスライドファスナーが開示されている。
【特許文献１】特許第３６２１０４０号公報
【特許文献２】特開２００６−３４６３６４号公報
【発明の開示】
【発明が解決しようとする課題】
【０００７】
特許文献１に記載されているスライドファスナーでは、左右のファスナーストリンガーが開離した状態から蝶棒をスライダーに挿入してゆくと、その途中で蝶棒の下端部に停止爪が当接する。この停止爪は、務歯案内通路内に突出する方向へ向けて付勢されている。この付勢力に対抗して蝶棒を更に挿入してゆくと、蝶棒に形成されている押上用の傾斜面に沿って停止爪が上昇してゆく。この停止爪は、スライダーが自然に下がってしまわないようにするために所定の力で付勢されているものなので、このとき利用者は、停止爪を斜面に沿って上昇させる際の抵抗力を感じることになる。【０００８】
また、特許文献２に記載されているスライドファスナーでは、蝶棒の噛合端縁側及びスライダー表翼板側の隅角部に面取部を形成することで、スライダーの表翼板から突出している停止爪との干渉を避けることができる。ところが、日本国内で一般に広く普及している左差しの開離嵌挿具と、外国で一部普及している右差しの開離嵌挿具とで蝶棒を共通化しようとすると、スライダー表翼板側及び裏翼片側の双方の隅角部に面取部を形成しなくてはならない。すると、蝶棒の噛合端縁側が山形に尖った形状になったり、芯紐を銜え込む部分の肉厚が薄くなる。【０００９】
本発明は、こうした従来技術を改善するために創出されたもので、自動停止装置及び開離嵌挿具の双方を兼ね備えた開離嵌挿具付スライドファスナーにおいて、左差し用及び右差し用の双方に兼用可能な部品から構成される開離嵌挿具付スライドファスナーを提供することを目的としている。
【課題を解決するための手段】
【００１０】
上記課題を解決するために本発明は、第１ファスナーストリンガーの一側縁に配された第１務歯列の下端に連設した箱棒と、第２ファスナーストリンガーの一側縁に配された第２務歯列の下端に連設し前記第１ファスナーストリンガーに対して開離可能に構成された蝶棒と、前記第１務歯列及び第２務歯列の表側を覆う表翼板及び裏側を覆う裏翼片との間に形成された務歯案内通路に対して前記表翼板に開設された爪孔から出没可能な停止爪が形成された爪部材と、前記停止爪を前記務歯案内通路内へ突出する方向へ弾性的に付勢する付勢部材と、前記表翼板と前記爪部材との間に引手軸部を配して当該引手軸部を上動させることで前記停止爪を前記務歯案内通路から抜脱させる方向に持ち上げることが可能な引手とから構成された自動停止装置を備える上開き用の上スライダーと、を有する開離嵌挿具付スライドファスナーであって、前記務歯案内通路内へ突出した停止爪は、前記蝶棒側及び箱棒側に向けて左右方向に移動自在に構成され、前記爪孔は、前記停止爪の移動を可能にする幅広の開口を有することを特徴とする。【００１１】
また、前記蝶棒の差込端かつ前記箱棒側の角隅部に、開離状態から前記蝶棒を前記上スライダーへ差し込む際に前記務歯案内通路内に突出している前記停止爪と当接して前記停止爪を前記箱棒側に徐々に退避させる退避用当接部を備えることが好ましい。【００１２】
また、前記箱棒における前記表翼板側に、前記退避してきた爪部材を格納する爪退避部を形成することが好ましい。【００１３】
また、前記上開き用の上スライダーと前記自動停止装置を備える逆開き用の下スライダーとの後ろ口同士を対向して配置し、前記箱棒には、前記下スライダーからの脱落を防止する脱落防止片を形成することが好ましい。
【発明の効果】
【００１４】
本発明によれば、自動停止装置付スライダー及び開離嵌挿具の双方を兼ね備えた開離嵌挿具付スライドファスナーにおいて、務歯案内通路内へ突出した停止爪を箱棒側及び蝶棒側に向けて移動自在に構成したので、左右のファスナーストリンガーが開離した状態から蝶棒をスライダーに挿入してゆくときに、蝶棒に押された停止爪が箱棒側に向けて退避する。この、停止爪を退避させる際に必要な力は、停止爪を上昇させる際に必要となる力よりもはるかに少ない力で済むので、より軽い操作力で蝶棒をスライダーに嵌挿することができる。【００１５】
また、本発明によれば、蝶棒の表裏を対称に成形することが容易であり、左差しの開離嵌挿具と右差しの開離嵌挿具とで共通の蝶棒を用いることが容易となる。【００１６】
また、他の発明によれば、蝶棒の差込端かつ箱棒側の角隅部に退避用当接部を形成したので、開離状態から蝶棒を上スライダーへ差し込む際に、停止爪を箱棒側に徐々に退避させることが可能となる。これにより、より軽い操作力で蝶棒をスライダーに嵌挿することができる。【００１７】
また、他の発明によれば、箱棒における表翼板側に爪退避部を形成したので、蝶棒に押されて退避してきた爪部材に対する抵抗力を増大させることなく箱棒側に格納することができる。【００１８】
また、他の発明によれば、上開き用の上スライダーと逆開き用の下スライダーとの後ろ口同士を対向して配置することで、逆開きが可能な開離嵌挿具付スライドファスナーを提供することができる。この場合においても、右差し用及び左差し用の蝶棒、箱棒、並びに上スライダー及び下スライダーを共通化することができる。
【図面の簡単な説明】
【００１９】
【図１】逆開きスライドファスナー全体の外観平面図である。
【図２】スライダーの分解斜視図である。
【図３】スライダーの側面断面図である。
【図４】スライダーにおける爪部材の移動状態を説明する平面断面図であり、図３に示すＩＶ−ＩＶ矢視断面図である。
【図５】蝶棒が連設されている第２ファスナーストリンガー下端の部分斜視図である。
【図６】箱棒が連設されている第１ファスナーストリンガー下端の部分斜視図である。
【図７】下スライダーと接触する最下位まで上スライダーを引き下げたときの逆開きスライドファスナーの平面断面図である。
【図８】第２ファスナーストリンガーの蝶棒が上スライダー左側の肩口部分から挿入されて、蝶棒下部の退避用当接部が停止爪に当接している状態を示す平面断面図である。
【図９】図８に示した状態において、退避用当接部が停止爪に当接している部分を拡大して説明する平面断面図である。
【図１０】本発明に係る開離嵌挿具付スライドファスナーを、上開きスライドファスナーに適用した実施形態を説明する平面断面図である。
【図１１】図１０に示した上開きスライドファスナーにおいて、蝶棒が連設されている第２ファスナーストリンガー下端の部分斜視図である。
【図１２】図１０に示した上開きスライドファスナーにおいて、上開きスライドファスナーの箱棒が連設されている第１ファスナーストリンガー下端の部分斜視図である。
【符号の説明】
【００２０】
１０、１０Ａ  開離嵌挿具付スライドファスナー
１２  第２務歯列
１３  第１務歯列
１４  芯紐
１６  第２ファスナーストリンガー
１７  第１ファスナーストリンガー
１８  上止具
２２  開離嵌挿具
２４  補強フィルム
３０、３０Ａ  蝶棒
３３  凹陥部
３４  第２係止部
３８  噛合突起
４０、４０Ａ  箱棒
４０Ｂ  箱体
４４  第１係止部
４６  脱落防止片
５０、５０Ａ  上スライダー
５０Ｂ  脱落防止段部
５０Ｄ  連結柱
５０Ｆ  フランジ部
５１  務歯案内通路
５２  表翼片
５３  裏翼片
５４  爪孔
５５  爪部材
５５Ａ  停止爪
５５Ｂ  軸部
５６  取付柱
５６Ａ  受穴
５６Ｂ  案内制限部
５６Ｃ  嵌合凸部
５７  付勢部材
５７Ｃ  嵌合凹部
５８  カバー
５９  引手
５９Ａ  引手軸部
６０  下スライダー
７０  退避用案内部
７２  爪退避部
【発明を実施するための最良の形態】
【００２１】
以下、本発明に係る逆開きスライドファスナーの代表的な実施形態について、図面を参照しながら具体的に説明する。
【実施例１】
【００２２】
図１は、逆開きが可能な開離嵌挿具付スライドファスナー１０の全体の外観図であり、上スライダー５０を上止具１８の当接位置から下方に少し下げ、下スライダー６０を蝶棒３０及び箱棒４０の嵌挿位置から上方に少し上げて、上下端部を開いた状態を示す正面図である。なお、箱棒４０と、蝶棒３０と、上スライダー５０と、下スライダー６０とで開離嵌挿具２２を構成している。【００２３】
図１に示すように、逆開きが可能な開離嵌挿具付スライドファスナー１０は、例えばロングコートなどの左前身頃と右前身頃との開閉を可能にする開閉具である。開離嵌挿具付スライドファスナー１０は、第２ファスナーストリンガー１６及び第１ファスナーストリンガー１７と、第２ファスナーストリンガー１６及び第１ファスナーストリンガー１７の対向する側縁部に沿って配された左右の芯紐１４と、それぞれの芯紐１４を挟持するように所定の間隔をおいて多数の務歯を列設した第２務歯列１２及び第１務歯列１３とを備えている。【００２４】
また、開離嵌挿具付スライドファスナー１０は、第２務歯列１２及び第１務歯列１３を挿通して上開きを可能にする上スライダー５０と、逆開きを可能にする下スライダー６０とを備えている。上スライダー５０の後ろ口と下スライダー６０の後ろ口とは対向するように配置してある。第２務歯列１２及び第１務歯列１３の上方の芯紐１４部分には、第２務歯列１２及び第１務歯列１３から上スライダー５０が脱落することを防止するための上止具１８を固着してある。【００２５】
図１に示すように、第１ファスナーストリンガー１７下端の表裏には、樹脂製フィルムなどによる補強フィルム２４を貼着してある。そして、この補強フィルム２４及び芯紐１４を共に挟み込む形で箱棒４０を固着してある。また、同様に、第２ファスナーストリンガー１６下端の表裏にも補強フィルム２４を貼着してあり、この補強フィルム２４及び芯紐１４を共に挟み込む形で蝶棒３０を固着してある。【００２６】
箱棒４０下端の端部には凸形状の脱落防止片４６を形成してある。そして、下スライダー６０を最下位まで下げた際において、下スライダー６０の表翼片５２又は裏翼片５３の務歯案内通路５１内の肩口部分に形成した脱落防止段部５０Ｂに当接することにより、下スライダー６０が下方に脱落してしまうことを防止している。なお、脱落防止片の形状は、図１に示す形状に限定するものではなく、例えば、箱棒下端にフック状の脱落防止片を形成し、下スライダーを最下位まで下げた際に下スライダーにおける肩口部分のフランジ部と直に当接することにより、下スライダーが下方へ脱落することを防止するように構成することもできる。【００２７】
箱棒４０における蝶棒３０と相対する対向側面の第１務歯列１３側には、三角形をした平板状の第１係止部４４が突出している。第１係止部４４は、後述する蝶棒３０の第２係止部３４と係合する部分である。【００２８】
蝶棒３０における箱棒４０と相対する対向側面には、係止面を下方に向けた第２係止部３４が両側壁により補強された形で突出している。この第２係止部３４は、最下位に移動させた下スライダー６０に蝶棒３０を挿入した際に、箱棒４０の第１係止部４４と係合させることで、蝶棒３０を箱棒４０に対して上下方向に位置決めするための部分である。第２係止部３４の下側には、両側壁で囲まれた凹陥部３３が形成されている。この凹陥部３３には、箱棒４０の第１係止部４４が進入する。蝶棒３０の差込端かつ箱棒４０側の角隅部には、開離状態から蝶棒３０を上スライダー５０及び下スライダー６０へ差し込む際に、務歯案内通路５１内に突出している停止爪５５Ａと当接することで停止爪５５Ａを箱棒４０側に向けて徐々に退避させるＲ面取形状の退避用案内部７０を形成してある。【００２９】
また、箱棒４０における蝶棒３０と対向する対向側面の略中央部であって、下スライダー６０の表翼片５２側には、蝶棒３０の挿入に伴って退避する停止爪５５Ａ（図２〜図４参照。）を格納するための凹状の爪退避部７２を形成してある。【００３０】
次に、図２〜図４を用いて、上スライダー５０及び下スライダー６０の構造について説明する。図２は、上スライダー５０、下スライダー６０の分解斜視図であり、図３は、組み立て後の上スライダー５０、下スライダー６０の側面断面図である。また、図４は上スライダー５０、下スライダー６０の平面断面図であり、爪部材５５の移動状態を説明する図である。なお、図４は、図３に示すＩＶ−ＩＶ矢視断面図である。【００３１】
図３に示すように、上スライダー５０及び下スライダー６０の表翼片５２と裏翼片５３とは、連結柱５０Ｄで連結されている。上スライダー５０及び下スライダー６０は、連結柱５０Ｄの両側方に務歯案内通路５１の肩口が開口しているスライダー本体と、スライダー本体を上下に移動させるための引手５９と、上スライダー５０及び下スライダー６０が自然に下がってしまう不具合を防止するために第１、第２務歯列１３、１２の隣り合う務歯間に入り込む停止爪５５Ａを一端に形成した爪部材５５と、爪部材５５を務歯案内通路５１側に向けて押圧することで停止爪５５Ａを務歯案内通路５１内へ突出する方向へ弾性的に付勢する板ばね状の付勢部材５７と、前記爪部材５５及び付勢部材５７を表側から覆うカバー５８とから構成されている。【００３２】
スライダー本体の表翼片５２の表側には、カバー５８を被せて固定するための取付柱５６を二箇所立設させてある。肩口側の取付柱５６の中央部には、爪部材５５の軸部５５Ｂを挿入する受穴５６Ａを開設してある。肩口側の取付柱５６と、後ろ口側の取付柱５６との間には、表翼片５２を貫通して務歯案内通路５１内に通じる爪孔５４を開設してある。この爪孔５４は、爪部材５５の停止爪５５Ａを務歯案内通路５１内まで挿通させた開口である。爪孔５４は、停止爪５５Ａを務歯案内通路５１に対して挿抜する動作を可能にするとともに、左右方向への移動を可能にする開口である。【００３３】
表翼片５２の表側の爪孔５４と受穴５６Ａの間には、爪部材５５の停止爪５５Ａを務歯案内通路５１に突出させる際の最大突出量を制限するとともに、停止爪５５Ａの左右方向に対する移動量を制限する凹形状の案内制限部５６Ｂを立設形成してある。案内制限部５６Ｂと肩口側の取付柱５６との間には、引手５９の引手軸部５９Ａを挿通させるための傾斜面に囲まれた谷部を形成してある。【００３４】
なお、表翼片５２及び裏翼片５３の両側縁部には、スライダーの移動に伴い第２務歯列１２及び第１務歯列１３同士を噛み合わせてゆくためのフランジ部５０Ｆを立設してある。表翼片５２及び裏翼片５３のフランジ部５０Ｆ同士が対向する部分には、第２ファスナーストリンガー１６及び第１ファスナーストリンガー１７のファスナーテープを挿通させるための隙間が設けられている。【００３５】
上スライダー５０及び下スライダー６０を組み立てる際には、先ず案内制限部５６Ｂと肩口側の取付柱５６との間に引手５９の引手軸部５９Ａを置く。次に、爪部材５５の軸部５５Ｂを肩口側の取付柱５６の中央部に開設されている受穴５６Ａに挿入して、爪部材５５の本体部中央を案内制限部５６Ｂの凹部に置いて、爪部材５５の停止爪５５Ａを爪孔５４の内部に挿通させる。【００３６】
次に、爪部材５５の上面側を表翼片５２の表面側から押し付けるようにして付勢部材５７を置き、付勢部材５７の両端に形成した嵌合凹部５７Ｃと、二つの取付柱５６の先端に突出させた嵌合凸部５６Ｃとを嵌合させる。次に、爪部材５５及び付勢部材５７を表面側から覆う装飾用のカバー５８を取付柱５６に被せて加締める。このように組み立てた上スライダー５０及び下スライダー６０の自動停止装置の機能について、図３を用いて説明する。【００３７】
図３は、上スライダー５０及び下スライダー６０を噛合軸線上で切断した側面断面図である。なお、図２に示した部材と同一の部材については同一の符番を付して、その説明を省略する。【００３８】
図３に示すように、利用者が引手５９を操作していない場合には、付勢部材５７が爪部材５５の上面側を務歯案内通路５１側に押す方向に弾性的に付勢することで、停止爪５５Ａを務歯案内通路５１内へ突出させる。図３に示す状態では、第１務歯列１３及び第２務歯列１２の記載を省略してあるが、務歯案内通路５１に突出した停止爪５５Ａは、第１務歯列１３と第２務歯列１２の隣り合う務歯間に入り込むことでスライドファスナーの上下方向に対する抗力を発生させ、上スライダー５０又は下スライダー６０の自由移動を制限する。【００３９】
利用者が上スライダー５０又は下スライダー６０を移動させる際に引手５９を把持して上方向又は下方向に力を加えると、その力により引手軸部５９Ａが付勢部材５７の付勢力に勝って爪部材５５の下面側を押し上げる。すると、爪部材５５が軸部５５Ｂを支点に表側へ揺動して、停止爪５５Ａが務歯案内通路５１から抜脱する方向に移動する。すると、第１務歯列１３又は第２務歯列１２を押圧していた押圧力が弱まるので、上スライダー５０又は下スライダー６０を容易にスライドファスナーの上下方向に移動させることができる。【００４０】
上スライダー５０又は下スライダー６０の移動が終了した場合には、利用者は把持していた引手５９を放す。付勢部材５７は、爪部材５５の上面側を押圧しているので、停止爪５５Ａが務歯案内通路５１に突出する方向に移動し、再び第１務歯列１３と第２務歯列１２の隣り合う務歯間に入り込む。すると、上スライダー５０又は下スライダー６０がスライドファスナーの上下方向へ移動しようとしても、停止爪５５Ａが務歯と係合することでスライドファスナーの上下方向に対する抗力が強くなり、上スライダー５０又は下スライダー６０の自由移動を制限する。【００４１】
なお、図３に示す実施形態では、板ばね状の付勢部材５７を用いて爪部材５５の上面側を付勢することで停止爪５５Ａを務歯案内通路５１内に突出させているが、この実施形態の他にも、圧縮ばね又は引張ばね等の付勢部材を用いて停止爪を務歯案内通路５１内に突出させるように構成することもできる。また、爪部材を弾性体で形成することで、爪部材自体が停止爪を務歯案内通路５１内に突出させるための付勢力を生成するように構成することもできる。【００４２】
次に、務歯案内通路５１内へ突出した停止爪５５Ａが、蝶棒３０側及び箱棒４０側に向けて左右方向に移動する様子について、図４を用いて説明する。図４は、上スライダー５０及び下スライダー６０を図３に示すＩＶ−ＩＶ矢視断面で切断した状態を示す平面断面図である。なお、図２及び図３に示した部材と同一の部材については同一の符番を付して、その説明を省略する。【００４３】
図４に示すように、爪部材５５は受穴５６Ａに挿入した軸部５５Ｂ（図２参照）を中心にして揺動可能に構成されている。この停止爪５５Ａの揺動に伴って、爪部材５５の停止爪５５Ａ（図２又は図３参照）が爪孔５４の内部を左右方向（図４に示すＬＲ方向）に移動する。図４に示す実施形態では、爪部材５５が受穴５６Ａに挿入した軸部５５Ｂを中心に揺動する実施形態を示したが、本発明はこの形の揺動に限定するものではなく、爪部材５５が左右方向に平行に移動するように構成しても本発明の目的を達成することができる。【００４４】
また、図４に示す実施形態では、停止爪５５Ａが開離嵌挿具付スライドファスナー１０の噛合軸線に対して左右対称に側移動するように構成してあることから、上スライダー５０及び下スライダー６０を右差し用及び左差し用の双方の用途に兼用して用いることができるが、本発明は左右対称な停止爪５５Ａの移動に限定するものではない。【００４５】
次に、ファスナーストリンガーの下端に配した蝶棒３０及び箱棒４０の構造について、図５及び図６を用いて説明する。図５は、蝶棒３０が固着されている第２ファスナーストリンガー１６の下端の部分斜視図である。図６は、箱棒４０が固着されている第１ファスナーストリンガー１７の下端の部分斜視図である。なお、図１に示した部材と同一の部材については同一の符番を付して、その説明を省略する。【００４６】
図５に示すように、第２ファスナーストリンガー１６における噛合端縁側の側縁部に芯紐１４を形成し、この芯紐１４を挟持する形で所定の間隔をおいて多数の務歯を列設して第２務歯列１２を形成する。【００４７】
第２ファスナーストリンガー１６下端の表裏には、樹脂製フィルムなどにより構成した補強フィルム２４を貼着してある。蝶棒３０は、補強フィルム２４及び芯紐１４を共に挟み込む形で第２務歯列１２の下端に連設してある。【００４８】
蝶棒３０における噛合端縁側の上端部には、第１務歯列１３の最下位に配されている務歯と噛合させるための噛合突起３８を形成してある。蝶棒３０における噛合突起３８の務歯頭部の中央には、最下位に移動させた下スライダー６０に蝶棒３０を挿入したときに箱棒４０の第１係止部４４と係合することで蝶棒３０を箱棒４０に対して上下方向に位置決めして、蝶棒３０が下スライダー６０を通り越して下降することを防止するための第２係止部３４を形成してある。箱棒４０の第１係止部４４が進入する凹陥部３３は、第２係止部３４とその補強用の側壁とで囲まれている。【００４９】
また、蝶棒３０の差込端かつ箱棒４０側の角隅部には、開離状態から蝶棒３０を上スライダー５０及び下スライダー６０へ差し込んでゆく際に、務歯案内通路５１内に突出している停止爪５５Ａと当接して停止爪５５Ａを箱棒４０側に徐々に退避させるためのＲ面取形状の退避用案内部７０を形成してある。このＲ面取形状は、停止爪５５Ａが突出している表翼片５２側に形成してあれば十分であるが、図５に示す実施形態では、右差し用及び左差し用の双方に兼用可能な蝶棒として構成しているために、表翼片５２及び裏翼片５３の双方側において対称なＲ面取形状に形成してある。なお、退避用案内部７０の形状は、曲線状のＲ面取形状に限定するものではなく、直線状のＣ面取形状を用いることもできる。【００５０】
また、図６に示すように、第１ファスナーストリンガー１７における噛合端縁側の側縁部に芯紐１４を形成し、この芯紐１４を挟持する形で所定の間隔をおいて多数の務歯を列設して第１務歯列１３を形成してある。【００５１】
第１ファスナーストリンガー１７下端の表裏には、樹脂製フィルムなどにより構成した補強フィルム２４を貼着してある。箱棒４０は、補強フィルム２４及び芯紐１４を共に挟み込む形で第１務歯列１３の下端に連設してある。【００５２】
箱棒４０における噛合端縁側の上端部には、蝶棒３０の第２係止部３４と係合する平板状の第１係止部４４が突出している。また、箱棒４０における蝶棒３０と対向する対向側面の略中央部には、退避してきた停止爪５５Ａを格納するための凹状の爪退避部７２を形成してある。なお、爪退避部７２は、停止爪５５Ａが突出している表翼片５２側に形成してあれば十分であるが、図６に示す実施形態では右差し用及び左差し用の双方に兼用可能な蝶棒として構成しているために、表翼片５２及び裏翼片５３の双方側において対称な爪退避部７２を形成してある。【００５３】
箱棒４０下端における表翼片５２側及び裏翼片５３側の面には、凸形状の脱落防止片４６を形成してある。この脱落防止片４６は、下スライダー６０を最下位まで下げた際において、下スライダー６０の表翼片５２又は裏翼片５３の務歯案内通路５１内の肩口部分に形成された脱落防止段部５０Ｂと当接することにより、下スライダー６０が下方に脱落してしまうことを防止するためのものである。この脱落防止片４６も、表翼片５２側又は裏翼片５３側のいずれかに形成してあれば十分であるが、右差し用及び左差し用の双方に兼用可能な箱棒とするために、表翼片５２側及び裏翼片５３側の双方において対称な脱落防止片４６を形成してある。【００５４】
次に、図１に示す状態から上スライダー５０及び下スライダー６０を最下位まで引き下ろした状態について、図７を用いて説明する。【００５５】
図７は、開離嵌挿具付スライドファスナー１０の上スライダー５０及び下スライダー６０を最下位まで下げた状態を示す図であり、表翼片５２の直下で切断した平面断面図である。なお、図１に示した部材と同一の部材については同一の符番を付して、その説明を省略する。【００５６】
下スライダー６０及び上スライダー５０の内部には、第２務歯列１２及び第１務歯列１３を上下方向に貫通させるための務歯案内通路５１が形成されている。務歯案内通路５１は、上スライダー５０及び下スライダー６０の前端側に設けられた肩口と、後端側に設けられた後ろ口とを有し、肩口は、分離した左右の務歯を務歯案内通路へ導入又は排出し、後ろ口は、噛合した左右務歯を務歯案内通路へ導入又は排出する。【００５７】
下スライダー６０を下げると、下スライダー６０の後ろ口からは、分離状態にあった左右の第２務歯列１２及び第１務歯列１３が噛合状態となって出てくる。更に下スライダー６０を下げてゆき最下位に近づくと、箱棒４０と蝶棒３０とが下スライダー６０の肩口から進入する。そして、箱棒４０下端に形成されている脱落防止片４６が、下スライダー６０の肩口から少し入った務歯案内通路５１内の表翼片５２及び裏翼片５３の内面に形成されている脱落防止段部５０Ｂに当接して停止する。この位置が下スライダー６０の最下位となる。【００５８】
図７に示す状態では、上スライダー５０及び下スライダー６０の双方が最下位まで下げられているので、この状態で左右の補強フィルム２４をそれぞれ左右の指で把持し、蝶棒３０側の第２ファスナーストリンガー１６を上方に引き上げることで、蝶棒３０を上スライダー５０及び下スライダー６０から引き抜いて、第２ファスナーストリンガー１６と第１ファスナーストリンガー１７とを開離することができる。【００５９】
図７に示す実施形態では、脱落防止段部５０Ｂが下スライダー６０の肩口から少し入った務歯案内通路５１内に形成してあるので、蝶棒３０及び箱棒４０は下スライダー６０の表翼片５２の裏側に隠れることになる。こうすることで、下スライダー６０が下端にある場合において蝶棒３０及び箱棒４０を隠すことができるので、開離嵌挿具付スライドファスナー１０の外観を美的に仕上げることができる。【００６０】
次に、第２ファスナーストリンガー１６と第１ファスナーストリンガー１７とを開離させた状態から、第２ファスナーストリンガー１６を上スライダー５０及び下スライダー６０に挿入させてゆくときの状態について、図８及び図９を参照しながら説明する。【００６１】
図８は、第２ファスナーストリンガー１６の蝶棒３０が上スライダー５０の左側の肩口から挿入され、更に下スライダー６０の後ろ口から挿入されている途中の状態を示す図である。図９は、図８に示す状態から第２ファスナーストリンガー１６を少し深く挿入していった状態を示す停止爪５５Ａ付近の部分拡大図である。なお、図８及び図９は、図７に示した断面図と同様に、表翼片５２の直下で切断した平面断面図である。なお、図７に示した部材と同一の部材については同一の符番を付して、その説明を省略する。【００６２】
この図８に示す状態まで第２ファスナーストリンガー１６を挿入してゆくと、蝶棒３０の差込端の角隅部に形成してある退避用案内部７０が、務歯案内通路５１内に突出している停止爪５５Ａに当接する。務歯案内通路５１内へ突出している停止爪５５Ａは、蝶棒３０側及び箱棒４０の左右方向に向けて移動自在に構成されている。したがって、利用者が更に第２ファスナーストリンガー１６を挿入してゆくと、図９の部分拡大図に示されるように退避用案内部７０が停止爪５５Ａを徐々に退避させてゆき、停止爪５５Ａは箱棒４０と接触することなく、箱棒４０に形成されている爪退避部７２に格納される。【００６３】
この後は、蝶棒３０と停止爪５５Ａとの接触による抵抗力が少ないまま、箱棒４０の第１係止部４４に蝶棒３０の第２係止部３４が当接する位置まで蝶棒３０を嵌挿することができる。蝶棒３０を下端まで嵌挿した状態において上スライダー５０を上方に向けて引き上げると、第２務歯列１２と第１務歯列１３とが噛合して、衣服の左前身頃と右前身頃が閉じ、双方の前身頃同士を結合させることができる。
【実施例２】
【００６４】
次に、上開きのみが可能な開離嵌挿具付スライドファスナーに本発明を適用した実施形態について説明する。【００６５】
図１０は、上開きのみが可能な開離嵌挿具付スライドファスナー１０Ａの断面図であり、上スライダー５０Ａを最下位まで引き下ろした状態を示す平面断面図である。図１０に示す断面図の切断面は、先に説明した図７と同様に、上スライダー５０Ａの表翼片の直下で切断した状態を示している。【００６６】
図１１は、図１０に示す第２ファスナーストリンガー１６の下端の部分斜視図である。図１２は、図１０に示す第１ファスナーストリンガー１７の下端の部分斜視図である。なお、図５〜図７に示した部材と同一の部材については同一の符番を付して、その説明を省略する。【００６７】
図１０に示すように、上開きのみが可能な開離嵌挿具付スライドファスナー１０Ａは、第２ファスナーストリンガー１６及び第１ファスナーストリンガー１７と、左右の芯紐１４を挟持するように所定の間隔をおいて多数の務歯を列設した第２務歯列１２とその下方に連設した蝶棒３０Ａ、及び第１務歯列１３とその下方に連設した箱棒４０Ａと、上開きを可能にする自動停止装置付の上スライダー５０Ａとを備えている。【００６８】
図１０及び図１２に示すように、箱棒４０Ａの下端部には、蝶棒３０Ａの下端部を嵌挿することで、左右の第２ファスナーストリンガー１６と第１ファスナーストリンガー１７とを結合させる箱体４０Ｂを備えている。この箱体４０Ｂには、蝶棒３０Ａの下端部を嵌挿するための凹陥部が形成されている。上スライダー５０Ａとして、図２〜図４にて説明した上スライダー５０と同一の構成の停止爪５５Ａを備えるスライダーを用いることができる。なお、箱棒４０Ａと、蝶棒３０Ａと、箱体４０Ｂとで開離嵌挿具を構成している。【００６９】
図１０〜図１２に示した開離嵌挿具付スライドファスナー１０Ａでは、箱棒４０Ａの下端に箱体４０Ｂを備える開離嵌挿具を用いているが、この他にも箱体４０Ｂを用いないサイドオープン式のスライドファスナーに本発明を適用することも可能である。【００７０】
上スライダー５０Ａの内部には、第２務歯列１２及び第１務歯列１３を上下方向に貫通させるための務歯案内通路が、フランジ部５０Ｆ及び連結柱５０Ｄで囲まれる形で形成されている。この務歯案内通路は、上スライダー５０Ａの前端側に設けられた肩口と、後端側に設けられた後ろ口とを有し、肩口は、分離した左右の務歯を務歯案内通路へ導入又は排出し、後ろ口は、噛合した左右務歯を務歯案内通路へ導入又は排出する。【００７１】
上スライダー５０Ａを第２務歯列１２及び第１務歯列１３に沿って上げると、上スライダー５０Ａの後ろ口からは、分離状態にあった左右の第２務歯列１２及び第１務歯列１３が噛合状態となって出てくる。逆に、上スライダー５０Ａを下げてゆくと、上スライダー５０Ａの後ろ口から噛合状態の第２務歯列１２及び第１務歯列１３が導入され、左右の肩口からは第２務歯列１２及び第１務歯列１３が分離状態となって出てくる。【００７２】
上スライダー５０Ａの務歯案内通路には、スライダーが自然に下がってしまわないようにするために所定の力で付勢されている出没可能な停止爪を突出させてある。上スライダー５０Ａの停止爪は、図２〜図４に示したスライダーと同様に、務歯案内通路内に出没可能であると同時に、蝶棒３０Ａ側及び箱棒４０Ａ側に向けて左右方向に移動自在に構成されている。【００７３】
図１０には示していないが、上スライダー５０Ａの表翼片には、利用者が第２務歯列１２及び第１務歯列１３に沿って上下させる際に把持する引手が取り付けられており、当該引手を操作することで務歯案内通路に挿通され第２務歯列１２と第１務歯列１３の隣り合う務歯間に入り込んでいた停止爪を引き上げて、第１務歯列１３と務歯との係止状態を解除して、上スライダー５０Ａの上下操作を自由に行えるようにする。【００７４】
図１１に示すように、蝶棒３０Ａの差込端の箱棒４０Ａ側の角隅部には、停止爪５５Ａを箱棒４０Ａ側に徐々に退避させるためのＲ面取形状の退避用案内部７０を形成してある。この退避用案内部７０の形状は、上スライダー５０Ａの表翼片及び裏翼片５３の双方側において対称なＲ面取形状に形成してある。したがって、図１０〜図１２に示す実施形態においても、蝶棒３０Ａ、箱棒４０Ａ及び上スライダー５０Ａから構成される開離嵌挿具の部品を、そのまま右差し用及び左差し用の双方に兼用することが可能となっている。なお、退避用案内部７０の形状は、曲線状のＲ面取形状に限定するものではなく、直線状のＣ面取形状を用いることもできる。【００７５】
図１０に示す状態では、上スライダー５０Ａが最下位に下げられているので、この状態で左右の補強フィルム２４をそれぞれ左右の指で把持し、蝶棒３０Ａ側の第２ファスナーストリンガー１６を上方に引き上げることで、蝶棒３０Ａを上スライダー５０Ａから引き抜いて、第２ファスナーストリンガー１６と第１ファスナーストリンガー１７とを開離することができる。【００７６】
一旦開離した第２ファスナーストリンガー１６を上スライダー５０Ａの肩口から挿入してゆくと、蝶棒３０Ａの差込端の角隅部に形成してある退避用案内部７０が、務歯案内通路内に突出している停止爪５５Ａに当接する。務歯案内通路内へ突出している停止爪５５Ａは、蝶棒３０Ａ側及び箱棒４０Ａ側の左右方向に向けて移動自在に構成されている。したがって、利用者が更に第２ファスナーストリンガー１６を挿入してゆくと、退避用案内部７０が停止爪５５Ａを箱棒４０Ａ側に徐々に退避させてゆく。更に第２ファスナーストリンガー１６を挿入してゆくと蝶棒３０Ａの下端部が箱体４０Ｂの凹陥部に進入して、左右方向に対する位置決めがなされる。蝶棒３０Ａは、箱棒４０Ａの第１係止部４４に蝶棒３０Ａの第２係止部３４が当接する位置まで嵌挿することができる。蝶棒３０Ａを下端まで嵌挿した状態で上スライダー５０Ａを上方に向けて引き上げると、第２務歯列１２と第１務歯列１３とが噛合して、衣服の左前身頃と右前身頃が閉じて、双方の前身頃同士を結合させることができる。
【産業上の利用可能性】
【００７７】
本発明に係る開離嵌挿具付スライドファスナーは、務歯に樹脂の射出成形品を用いた樹脂ファスナーに適用することができる他、金属ファスナー、コイルファスナーその他のスライドファスナーに適用することができる。
【図１】
2010073362.tif 000003
【図２】
2010073362.tif 000004
【図３】
2010073362.tif 000005
【図４】
2010073362.tif 000006
【図５】
2010073362.tif 000007
【図６】
2010073362.tif 000008
【図７】
2010073362.tif 000009
【図８】
2010073362.tif 000010
【図９】
2010073362.tif 000011
【図１０】
2010073362.tif 000012
【図１１】
2010073362.tif 000013
【図１２】
2010073362.tif 000014
【国際調査報告】
2010073362.tif 000015
2010073362.tif 000016
2010073362.tif 000017
2010073362.tif 000018